(57)【特許請求の範囲】
【請求項１】
ワイヤレス通信のための装置であって、
処理システムを備え、前記処理システムが、
それぞれのアンテナに結合された複数のRF受信機チェーンのサブセットを、オムニ指向性方式で受信するように構成することであって、前記サブセットが、前記複数のRF受信機チェーンのうちの少なくとも1つのRF受信機チェーンを備える、構成することと、
RF受信機チェーンの前記サブセットが前記オムニ指向性方式で受信するように構成される間、前記サブセットを介して受信された少なくとも1つの信号の第1のエネルギーレベルを決定することと、
前記第1のエネルギーレベルが第1のしきい値エネルギーレベル以上であることに応答して、ターゲットデバイスから指向的に受信するように前記複数のRF受信機チェーンを構成することと、
前記RF受信機チェーンが前記ターゲットデバイスから指向的に受信するように構成される間、前記RF受信機チェーンを介して受信された前記少なくとも1つの信号の第2のエネルギーレベルを決定することと、
前記第2のエネルギーレベルが第2のしきい値エネルギーレベル以上であることに応答して、前記少なくとも1つの信号からデータを生成することであって、前記第2のしきい値エネルギーレベルが、前記第1のしきい値エネルギーレベルよりも大きい、生成することと、
を行うように構成される、装置。
【請求項２】
前記処理システムが、前記第2のエネルギーレベルが前記第2のしきい値エネルギーレベル未満であることに応答して、前記オムニ指向性方式で受信するように前記RF受信機チェーンの前記サブセットを再構成するように構成される、請求項1に記載の装置。
【請求項３】
前記処理システムが、前記第1のエネルギーレベルがしきい値エネルギーレベル未満であることに応答して、RF受信機チェーンの前記サブセットが前記オムニ指向性方式で受信するように構成されるのを維持するように構成される、請求項1に記載の装置。
【請求項４】
前記処理システムが、前記第2のエネルギーレベルが前記第1のエネルギーレベルよりも大きいことに応答して、前記少なくとも1つの信号からデータを生成するように構成される、請求項1に記載の装置。
【請求項５】
前記処理システムが、前記第2のエネルギーレベルが前記第1のエネルギーレベル未満であることに応答して、前記RF受信機チェーンの前記サブセットがオムニ指向性方式で受信するように構成されるのを維持するように構成される、請求項1に記載の装置。
【請求項６】
前記処理システムが、前記少なくとも1つの信号が指定の信号フォーマットに適合するという決定に応答して、前記少なくとも1つの信号からデータを生成するように構成される、請求項1に記載の装置。
【請求項７】
前記少なくとも1つの信号がフレームを備え、前記処理システムが、前記フレームの少なくとも一部分を復号することによって前記少なくとも1つの信号からデータを生成するように構成される、請求項1に記載の装置。
【請求項８】
前記処理システムが、前記フレームの少なくとも前記一部分を復号した後の時間間隔の満了に応答して、オムニ指向性方式で受信するように前記RF受信機チェーンの前記サブセットを再構成するように構成される、請求項7に記載の装置。
【請求項９】
ワイヤレス通信のための方法であって、
それぞれのアンテナに結合された複数のRF受信機チェーンのサブセットを、オムニ指向性方式で受信するように構成するステップであって、前記サブセットが、前記複数のRF受信機チェーンのうちの少なくとも1つのRF受信機チェーンを備える、ステップと、
RF受信機チェーンの前記サブセットが前記オムニ指向性方式で受信するように構成される間、前記サブセットを介して受信された少なくとも1つの信号の第1のエネルギーレベルを決定するステップと、
前記第1のエネルギーレベルが第1のしきい値エネルギーレベル以上であることに応答して、ターゲットデバイスから指向的に受信するように前記複数のRF受信機チェーンを構成するステップと、
前記RF受信機チェーンが前記ターゲットデバイスから指向的に受信するように構成される間、前記RF受信機チェーンを介して受信された前記少なくとも1つの信号の第2のエネルギーレベルを決定するステップと、
前記第2のエネルギーレベルが第2のしきい値エネルギーレベル以上であることに応答して、前記少なくとも1つの信号からデータを生成するステップであって、前記第2のしきい値エネルギーレベルが、前記第1のしきい値エネルギーレベルよりも大きい、ステップと
を備える、方法。
【請求項１０】
前記第2のエネルギーレベルが前記第2のしきい値エネルギーレベル未満であることに応答して、前記オムニ指向性方式で受信するように前記RF受信機チェーンの前記サブセットを再構成するステップをさらに備える、請求項9に記載の方法。
【請求項１１】
前記第1のエネルギーレベルがしきい値エネルギーレベル未満であることに応答して、RF受信機チェーンの前記サブセットが前記オムニ指向性方式で受信するように構成されるのを維持するステップをさらに備える、請求項9に記載の方法。
【請求項１２】
前記少なくとも1つの信号からデータを生成するステップが、前記第2のエネルギーレベルが前記第1のエネルギーレベルよりも大きいことに応答する、請求項9に記載の方法。
【請求項１３】
前記第2のエネルギーレベルが前記第1のエネルギーレベル未満であることに応答して、前記RF受信機チェーンの前記サブセットがオムニ指向性方式で受信するように構成されるのを維持するステップをさらに備える、請求項9に記載の方法。
【請求項１４】
前記少なくとも1つの信号からデータを生成するステップが、前記少なくとも1つの信号が指定の信号フォーマットに適合するという決定に応答する、請求項9に記載の方法。
【請求項１５】
前記少なくとも1つの信号がフレームを備え、前記少なくとも1つの信号からデータを生成するステップが、前記フレームの少なくとも一部分を復号するステップを備える、請求項9に記載の方法。
【請求項１６】
前記フレームの少なくとも前記一部分を復号した後の時間間隔の満了に応答して、前記オムニ指向性方式で受信するように前記RF受信機チェーンの前記サブセットを再構成するステップをさらに備える、請求項15に記載の方法。
【請求項１７】
ワイヤレス通信のための装置であって、
それぞれのアンテナに結合された複数のRF受信機チェーンのサブセットを、オムニ指向性方式で受信するように構成するための手段であって、前記サブセットが、前記複数のRF受信機チェーンのうちの少なくとも1つのRF受信機チェーンを備える、手段と、
RF受信機チェーンの前記サブセットが前記オムニ指向性方式で受信するように構成される間、前記サブセットを介して受信された少なくとも1つの信号の第1のエネルギーレベルを決定するための手段と、
前記第1のエネルギーレベルが第1のしきい値エネルギーレベル以上であることに応答して、ターゲットデバイスから指向的に受信するように前記複数のRF受信機チェーンを構成するための手段と、
前記RF受信機チェーンが前記ターゲットデバイスから指向的に受信するように構成される間、前記RF受信機チェーンを介して受信された前記少なくとも1つの信号の第2のエネルギーレベルを決定するための手段と、
前記第2のエネルギーレベルが第2のしきい値エネルギーレベル以上であることに応答して、前記少なくとも1つの信号からデータを生成する手段であって、前記第2のしきい値エネルギーレベルが、前記第1のしきい値エネルギーレベルよりも大きい、手段と
を備える、装置。
【請求項１８】
前記第2のエネルギーレベルが前記第2のしきい値エネルギーレベル未満であることに応答して、前記オムニ指向性方式で受信するように前記RF受信機チェーンの前記サブセットを再構成するための手段をさらに備える、請求項17に記載の装置。
【請求項１９】
前記第1のエネルギーレベルがしきい値エネルギーレベル未満であることに応答して、RF受信機チェーンの前記サブセットが前記オムニ指向性方式で受信するように構成されるのを維持するための手段をさらに備える、請求項17に記載の装置。
【請求項２０】
前記少なくとも1つの信号からデータを生成するための前記手段が、前記第2のエネルギーレベルが前記第1のエネルギーレベルよりも大きいと決定するための手段を備える、請求項17に記載の装置。
【請求項２１】
前記第2のエネルギーレベルが前記第1のエネルギーレベル未満であることに応答して、前記RF受信機チェーンの前記サブセットがオムニ指向性方式で受信するように構成されるのを維持するための手段をさらに備える、請求項17に記載の装置。
【請求項２２】
前記少なくとも1つの信号からデータを生成するための前記手段が、前記少なくとも1つの信号が指定の信号フォーマットに適合すると決定するための手段を備える、請求項19に記載の装置。
【請求項２３】
前記少なくとも1つの信号がフレームを備え、前記少なくとも1つの信号からデータを生成するための前記手段が、前記フレームの少なくとも一部分を復号するための手段を備える、請求項17に記載の装置。
【請求項２４】
複数のアンテナと、
前記複数のアンテナにそれぞれ結合された複数のRF受信機チェーンと、
処理システムとを備え、前記処理システムが、
それぞれのアンテナに結合された複数のRF受信機チェーンのサブセットを、オムニ指向性方式で受信するように構成することであって、前記サブセットが、前記複数のRF受信機チェーンのうちの少なくとも1つのRF受信機チェーンを備える、構成することと、
RF受信機チェーンの前記サブセットが前記オムニ指向性方式で受信するように構成される間、前記サブセットを介して受信された少なくとも1つの信号の第1のエネルギーレベルを決定することと、
前記第1のエネルギーレベルが第1のしきい値エネルギーレベル以上であることに応答して、ターゲットデバイスから指向的に受信するように前記複数のRF受信機チェーンを構成することと、
前記RF受信機チェーンが前記ターゲットデバイスから指向的に受信するように構成される間、前記RF受信機チェーンを介して受信された前記少なくとも1つの信号の第2のエネルギーレベルを決定することと、
前記第2のエネルギーレベルが第2のしきい値エネルギーレベル以上であることに応答して、前記少なくとも1つの信号からデータを生成することであって、前記第2のしきい値エネルギーレベルが、前記第1のしきい値エネルギーレベルよりも大きい、生成することと
を行うように構成される、ワイヤレスノード。
【発明の詳細な説明】
【技術分野】
【０００１】
関連出願の相互参照
本出願は、その内容全体が参照により本明細書に組み込まれる、2015年9月22日に米国特許商標庁に出願された非仮出願第14/861,798号の優先権および利益を主張
する。
【０００２】
本開示は、一般に、ワイヤレス通信に関し、詳細には、ターゲットワイヤレスデバイスからの信号を検出する際に電力消費を低減するためのシステムおよび方法に関する。
【背景技術】
【０００３】
多入力多出力(MIMO)機能を有するワイヤレスデバイスは、対応するRFチェーンに結合されたアンテナのアレイを使用して、指向性方式でリモートデバイスからの信号を受信し得る。指向性方式で信号を受信する利点は、オムニ指向性方式で信号を受信することと比較して、より高い利得または受信機感度が達成され得ることである。さらなる利点は、アンテナアレイ/RFチェーンのターゲット方向内に位置しない不要なワイヤレスデバイス(「非ターゲットデバイス」)からの信号が大幅に減衰して、そのようなデバイスからの信号干渉を低減することである。
【０００４】
アンテナアレイ/RFチェーンを指向性方式で動作させることに関連する欠点は、そうすることが比較的大量の電力を消費することである。なぜなら、所望の方向選択性を達成するために、多くのRFチェーン(たとえば、32個の)を動作させることが必要だからである。
【０００５】
しばしば、ワイヤレスデバイスは、そのアンテナアレイ/RFチェーンを、ターゲットデバイスを対象とする指向性方式で構成させ、ターゲットデバイスからの別の送信を受信するのを待っている。そのような待機期間中、ワイヤレスデバイスは、その多くのRFチェーンがそのような指向性方式でアンテナアレイを構成するように動作させられているので、かなりの量の電力を消費している。
【発明の概要】
【発明が解決しようとする課題】
【０００６】
したがって、ターゲットワイヤレスデバイスからの信号を検出しようと試みながら、電力消費を低減する必要がある。
【課題を解決するための手段】
【０００７】
本開示のいくつかの態様は、ワイヤレス通信のための装置を提供する。装置は、それぞれのアンテナに結合された複数のRF受信機チェーンのサブセットを、オムニ指向性方式で受信するように構成することであって、サブセットが、複数のRF受信機チェーンのうちの少なくとも1つのRF受信機チェーンを備える、構成することと、RF受信機チェーンのサブセットがオムニ指向性方式で受信するように構成される間、サブセットを介して受信された少なくとも1つの信号の第1のエネルギーレベルを決定することと、第1のエネルギーレベルに基づいて、ターゲットデバイスから指向的に受信するように複数のRF受信機チェーンを構成することと、RF受信機チェーンがターゲットデバイスから指向的に受信するように構成される間、RF受信機チェーンを介して受信された少なくとも1つの信号の第2のエネルギーレベルを決定することと、第2のエネルギーレベルに基づいて、少なくとも1つの信号からデータを生成することとを行うように構成された、処理システムを備える。
【０００８】
本開示のいくつかの態様は、ワイヤレス通信のための方法を提供する。方法は、それぞれのアンテナに結合された複数のRF受信機チェーンのサブセットを、オムニ指向性方式で受信するように構成するステップであって、サブセットが、複数のRF受信機チェーンのうちの少なくとも1つのRF受信機チェーンを備える、ステップと、RF受信機チェーンのサブセットがオムニ指向性方式で受信するように構成される間、サブセットを介して受信された少なくとも1つの信号の第1のエネルギーレベルを決定するステップと、第1のエネルギーレベルに基づいて、ターゲットデバイスから指向的に受信するように複数のRF受信機チェーンを構成するステップと、RF受信機チェーンがターゲットデバイスから指向的に受信するように構成される間、RF受信機チェーンを介して受信された少なくとも1つの信号の第2のエネルギーレベルを決定するステップと、第2のエネルギーレベルに基づいて、少なくとも1つの信号からデータを生成するステップとを備える。
【０００９】
本開示のいくつかの態様は、ワイヤレス通信のための装置を提供する。装置は、それぞれのアンテナに結合された複数のRF受信機チェーンのサブセットを、オムニ指向性方式で受信するように構成するための手段であって、サブセットが、複数のRF受信機チェーンのうちの少なくとも1つのRF受信機チェーンを備える、手段と、RF受信機チェーンのサブセットがオムニ指向性方式で受信するように構成される間、サブセットを介して受信された少なくとも1つの信号の第1のエネルギーレベルを決定するための手段と、第1のエネルギーレベルに基づいて、ターゲットデバイスから指向的に受信するように複数のRF受信機チェーンを構成するための手段と、RF受信機チェーンがターゲットデバイスから指向的に受信するように構成される間、RF受信機チェーンを介して受信された少なくとも1つの信号の第2のエネルギーレベルを決定するための手段と、第2のエネルギーレベルに基づいて、少なくとも1つの信号からデータを生成するための手段とを備える。
【００１０】
本開示のいくつかの態様は、それぞれのアンテナに結合された複数のRF受信機チェーンのサブセットを、オムニ指向性方式で受信するように構成することであって、サブセットが、複数のRF受信機チェーンのうちの少なくとも1つのRF受信機チェーンを備える、構成することと、RF受信機チェーンのサブセットがオムニ指向性方式で受信するように構成される間、サブセットを介して受信された少なくとも1つの信号の第1のエネルギーレベルを決定することと、第1のエネルギーレベルに基づいて、ターゲットデバイスから指向的に受信するように複数のRF受信機チェーンを構成することと、RF受信機チェーンがターゲットデバイスから指向的に受信するように構成される間、RF受信機チェーンを介して受信された少なくとも1つの信号の第2のエネルギーレベルを決定することと、第2のエネルギーレベルに基づいて、少なくとも1つの信号からデータを生成することとを行うための命令を記憶したコンピュータ可読媒体を提供する。
【００１１】
本開示のいくつかの態様は、ワイヤレスノードを提供する。ワイヤレスノードは、複数のアンテナと、複数のアンテナにそれぞれ結合された複数のRF受信機チェーンと、処理システムとを備え、処理システムは、それぞれのアンテナに結合された複数のRF受信機チェーンのサブセットを、オムニ指向性方式で受信するように構成することであって、サブセットが、複数のRF受信機チェーンのうちの少なくとも1つのRF受信機チェーンを備える、構成することと、RF受信機チェーンのサブセットがオムニ指向性方式で受信するように構成される間、サブセットを介して受信された少なくとも1つの信号の第1のエネルギーレベルを決定することと、第1のエネルギーレベルに基づいて、ターゲットデバイスから指向的に受信するように複数のRF受信機チェーンを構成することと、RF受信機チェーンがターゲットデバイスから指向的に受信するように構成される間、RF受信機チェーンを介して受信された少なくとも1つの信号の第2のエネルギーレベルを決定することと、第2のエネルギーレベルに基づいて、少なくとも1つの信号からデータを生成することとを行うように構成される。
【図面の簡単な説明】
【００１２】
【図１】本開示のいくつかの態様による例示的なワイヤレス通信システムのブロック図である。
【図２】本開示のいくつかの態様による例示的なアクセスポイントおよびアクセス端末のブロック図である。
【図３Ａ】本開示のいくつかの態様による、それぞれ、指向性方式およびオムニ指向性方式で信号を受信するように構成された第1のワイヤレスデバイスを含む例示的な通信システムのブロック図である。
【図３Ｂ】本開示のいくつかの態様による、それぞれ、指向性方式およびオムニ指向性方式で信号を受信するように構成された第1のワイヤレスデバイスを含む例示的な通信システムのブロック図である。
【図４】本開示のいくつかの態様による例示的な受信機のブロック図である。
【図５】本開示のいくつかの態様による別の例示的な受信機のブロック図である。
【図６】本開示のいくつかの態様による例示的な受信機チェーンの概略図である。
【図７】本開示のいくつかの態様による、ターゲットデバイスからの信号を検出する例示的な方法のフロー図である。
【図８Ａ】本開示のいくつかの態様による、それぞれ、指向性方式およびオムニ指向性方式で信号を受信するように構成された第1のワイヤレスデバイスを含む例示的な通信システムのブロック図である。
【図８Ｂ】本開示のいくつかの態様による、それぞれ、指向性方式およびオムニ指向性方式で信号を受信するように構成された第1のワイヤレスデバイスを含む例示的な通信システムのブロック図である。
【図９】本開示のいくつかの態様による、ターゲットデバイスからの信号を検出および受信する例示的な方法のフロー図である。
【図１０】本開示のいくつかの態様による例示的なデバイスのブロック図である。
【発明を実施するための形態】
【００１３】
本開示の様々な態様が、添付の図面を参照しながら以下でより十分に説明される。しかしながら、本開示は、多くの異なる形態で具現化されてよく、本開示全体にわたって提示される任意の特定の構造または機能に限定されるものと解釈されるべきでない。むしろ、これらの態様は、本開示が周到で完全になり、本開示の範囲を当業者に十分に伝えるように与えられる。本明細書の教示に基づいて、本開示の範囲が、本開示の任意の他の態様とは無関係に実施されるにせよ、本開示の任意の他の態様と組み合わせて実施されるにせよ、本明細書で開示する本開示の任意の態様を包含するように意図されることを当業者は諒解されたい。たとえば、本明細書に記載する任意の数の態様を使用して、装置が実装されてよく、または方法が実践されてよい。加えて、本開示の範囲は、本明細書に記載する本開示の様々な態様に加えて、またはそうした態様以外に、他の構造、機能、または構造および機能を使用して実践されるそのような装置または方法を包含するように意図される。本明細書で開示する本開示のいかなる態様も、請求項の1つまたは複数の要素によって具現化され得ることを理解されたい。
【００１４】
「例示的」という単語は、本明細書では、「例、事例、または例示として機能すること」を意味するために使用される。「例示的」として本明細書で説明するいかなる態様も、必ずしも他の態様よりも好ましいか、または有利であると解釈されるべきでない。
【００１５】
特定の態様が本明細書で説明されるが、これらの態様の多くの変形および置換が本開示の範囲内に入る。好ましい態様のいくつかの利益および利点が述べられるが、本開示の範囲は特定の利益、使用、または目的に限定されるように意図されない。むしろ、本開示の態様は、様々なワイヤレス技術、システム構成、ネットワーク、および伝送プロトコルに広く適用可能であることが意図され、そのうちのいくつかが例として図面および好ましい態様の以下の説明において示される。発明を実施するための形態および図面は、限定的でなく、本開示の例示にすぎず、本開示の範囲は、添付の特許請求の範囲およびその均等物によって定義される。
【００１６】
本明細書で説明する技法は、直交多重化方式に基づく通信システムを含む様々な広帯域ワイヤレス通信システムのために使用され得る。そのような通信システムの例は、空間分割多元接続(SDMA)、時分割多元接続(TDMA)、直交周波数分割多元接続(OFDMA)システム、シングルキャリア周波数分割多元接続(SC-FDMA)システムなどを含む。SDMAシステムは、複数のアクセス端末に属するデータを同時に送信するために、十分に異なる方向を利用し得る。TDMAシステムは、送信信号を異なるタイムスロットに分割することによって、複数のアクセス端末が同じ周波数チャネルを共有することを可能にし得、各タイムスロットは、異なるアクセス端末に割り当てられる。OFDMAシステムは、システム帯域幅全体を複数の直交するサブキャリアに区分する変調技法である直交周波数分割多重化(OFDM)を利用する。これらのサブキャリアは、トーン、ビンなどと呼ばれることもある。OFDMでは、各サブキャリアはデータを用いて独立して変調され得る。SC-FDMAシステムは、システム帯域幅にわたって分散されるサブキャリア上で送信するためのインターリーブFDMA(IFDMA)、隣接するサブキャリアのブロック上で送信するための局所化FDMA(LFDMA)、または隣接するサブキャリアの複数のブロック上で送信するための拡張FDMA(EFDMA)を利用し得る。概して、変調シンボルは、OFDMでは周波数領域において送られ、SC-FDMAでは時間領域において送られる。
【００１７】
本明細書の教示は、様々な有線またはワイヤレスの装置(たとえば、ノード)に組み込まれてよい(たとえば、そうした装置内に実装されるか、またはそうした装置によって実行されてもよい)。いくつかの態様では、本明細書の教示に従って実装されるワイヤレスノードは、アクセスポイントまたはアクセス端末を備え得る。
【００１８】
アクセスポイント(「AP」)は、ノードB、無線ネットワークコントローラ(「RNC」)、発展型ノードB(eNB)、基地局コントローラ(「BSC」)、基地トランシーバ局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または何らかの他の用語を備えることがあるか、それらとして実装されることがあるか、またはそれらと知られていることがある。
【００１９】
アクセス端末(「AT」)は、加入者局、加入者ユニット、移動局、リモート局、リモート端末、ユーザ端末、ユーザエージェント、ユーザデバイス、ユーザ機器、ユーザ局、または何らかの他の用語を備えることがあるか、それらとして実装されることがあるか、またはそれらと知られていることがある。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続機能を有するハンドヘルドデバイス、ステーション(「STA」)、またはワイヤレスモデムに接続された何らかの他の好適な処理デバイスを備えることがある。したがって、本明細書で教示する1つまたは複数の態様は、電話(たとえば、セルラーフォンまたはスマートフォン)、コンピュータ(たとえば、ラップトップ)、ポータブル通信デバイス、ポータブルコンピューティングデバイス(たとえば、携帯情報端末)、エンターテインメントデバイス(たとえば、音楽デバイスもしくはビデオデバイス、または衛星ラジオ)、全地球測位システムデバイス、またはワイヤレスもしくは有線の媒体を介して通信するように構成されている任意の他の好適なデバイスに組み込まれ得る。いくつかの態様では、ノードはワイヤレスノードである。そのようなワイヤレスノードは、たとえば、有線またはワイヤレスの通信リンクを介して、ネットワーク(たとえば、インターネットまたはセルラーネットワークなどのワイドエリアネットワーク)のための接続性またはネットワークへの接続性を提供し得る。
【００２０】
図1は、アクセスポイントおよびアクセス端末などの複数のワイヤレスノードを有するワイヤレス通信システム100の一例のブロック図を示す。簡単にするために、1つのアクセスポイント110だけが示される。アクセスポイントは、一般に、アクセス端末と通信する固定局であり、基地局または何らかの他の用語で呼ばれることもある。アクセス端末は、固定またはモバイルであってよく、移動局、ワイヤレスデバイス、または何らかの他の用語で呼ばれることがある。アクセスポイント110は、ダウンリンクおよびアップリンク上で任意の所与の瞬間において1つまたは複数のアクセス端末120a〜120iと通信し得る。ダウンリンク(すなわち、順方向リンク)は、アクセスポイントからアクセス端末への通信リンクであり、アップリンク(すなわち、逆方向リンク)は、アクセス端末からアクセスポイントへの通信リンクである。アクセス端末はまた、別のアクセス端末とピアツーピアで通信し得る。システムコントローラ130は、アクセスポイントに結合し、アクセスポイントのための協調および制御を行う。アクセスポイント110は、バックボーンネットワーク150に結合された他のデバイスと通信し得る。
【００２１】
図2は、ワイヤレス通信システム100におけるアクセスポイント110(一般に、第1のワイヤレスノード)およびアクセス端末120(一般に、第2のワイヤレスノード)のブロック図を示す。アクセスポイント110は、ダウンリンク用の送信エンティティかつアップリンク用の受信エンティティである。アクセス端末120は、アップリンク用の送信エンティティかつダウンリンク用の受信エンティティである。本明細書で使用するとき、「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。
【００２２】
アクセスポイント110が、代替として、アクセス端末であってよく、アクセス端末120が、代替として、アクセスポイントであってよいことを理解されたい。
【００２３】
データを送信するために、アクセスポイント110は、送信データプロセッサ220、フレームビルダー222、送信プロセッサ224、複数のトランシーバ226-1〜226-N、および複数のアンテナ230-1〜230-Nを備える。アクセスポイント110はまた、アクセスポイント110の動作を制御するためのコントローラ234を備える。
【００２４】
動作においては、送信データプロセッサ220が、データソース215からデータ(たとえば、データビット)を受信し、送信用にデータを処理する。たとえば、送信データプロセッサ220は、データ(たとえば、データビット)を符号化して符号化データにし得、符号化データを変調してデータシンボルにし得る。送信データプロセッサ220は、様々な変調およびコーディング方式(MCS)をサポートし得る。たとえば、送信データプロセッサ220は、複数の異なるコーディングレートのいずれか1つで(たとえば、低密度パリティチェック(LDPC)符号化を使用して)データを符号化し得る。また、送信データプロセッサ220は、限定はしないが、BPSK、QPSK、16QAM、64QAM、64APSK、128APSK、256QAM、および256APSKを含む、複数の異なる変調方式のいずれか1つを使用して、符号化データを変調し得る。
【００２５】
いくつかの態様では、コントローラ234は、(たとえば、ダウンリンクのチャネル状態に基づいて)どの変調およびコーディング方式(MCS)を使用すべきかを規定するコマンドを送信データプロセッサ220に送ってよく、送信データプロセッサ220は、規定されたMCSに従ってデータソース215からのデータを符号化および変調してよい。送信データプロセッサ220が、データスクランブリングおよび/または他の処理などの、データへの追加の処理を実行してもよいことを諒解されたい。送信データプロセッサ220は、データシンボルをフレームビルダー222に出力する。
【００２６】
フレームビルダー222は、フレーム(パケットとも呼ばれる)を構築し、フレームのデータペイロードにデータシンボルを挿入する。フレームは、プリアンブル、ヘッダ、およびデータペイロードを含み得る。プリアンブルは、フレームを受信する際にアクセス端末120を支援するための、ショートトレーニングフィールド(STF)シーケンスおよびチャネル推定(CE)シーケンスを含み得る。ヘッダは、データの長さ、およびデータを符号化および変調するために使用されたMCSなどの、ペイロードの中のデータに関係する情報を含み得る。この情報により、アクセス端末120がデータを復調および復号することが可能になる。ペイロードの中のデータは、複数のブロックの間で分割され得、ここで、各ブロックは、データの一部分、および受信機の位相追跡を支援するためのガードインターバル(GI)を含み得る。フレームビルダー222は、フレームを送信プロセッサ224に出力する。
【００２７】
送信プロセッサ224は、ダウンリンク上での送信用にフレームを処理する。たとえば、送信プロセッサ224は、直交周波数分割多重(OFDM)送信モードおよびシングルキャリア(SC)送信モードなどの様々な送信モードをサポートし得る。この例では、コントローラ234は、どの送信モードを使用すべきかを規定するコマンドを送信プロセッサ224に送ってよく、送信プロセッサ224は、規定された送信モードに従って送信用にフレームを処理してよい。送信プロセッサ224は、ダウンリンク信号の成分をなす周波数がいくつかのスペクトル要件を満たすように、フレームにスペクトルマスクを適用し得る。
【００２８】
いくつかの態様では、送信プロセッサ224は、多入力多出力(MIMO)送信をサポートし得る。これらの態様では、アクセスポイント110は、複数のアンテナ230-1〜230-Nおよび複数のトランシーバ226-1〜226-N(たとえば、アンテナごとに1つ)を含み得る。送信プロセッサ224は、着信フレームに空間処理を実行し得、複数の送信フレームストリームを複数のアンテナに提供し得る。トランシーバ226-1〜226-Nはそれぞれ、それぞれの送信フレームストリームを受信し、かつ処理(たとえば、アナログに変換、増幅、フィルタ処理、および周波数アップコンバート)して、アンテナ230-1〜230-Nを介した送信用に送信信号を生成する。
【００２９】
データを送信するために、アクセス端末120は、送信データプロセッサ260、フレームビルダー262、送信プロセッサ264、トランシーバ266、および1つまたは複数のアンテナ270(簡単にするために、1つのアンテナが示される)を備える。アクセス端末120は、アップリンク上でアクセスポイント110へデータを送信し得、かつ/または別のアクセス端末へ(たとえば、ピアツーピア通信のために)データを送信し得る。アクセス端末120はまた、アクセス端末120の動作を制御するためのコントローラ274を備える。
【００３０】
動作においては、送信データプロセッサ260が、データソース255からデータ(たとえば、データビット)を受信し、送信用にデータを処理(たとえば、符号化および変調)する。送信データプロセッサ260は、様々なMCSをサポートし得る。たとえば、送信データプロセッサ260は、複数の異なるコーディングレートのいずれか1つで(たとえば、LDPC符号化を使用して)データを符号化し得、限定はしないが、BPSK、QPSK、16QAM、64QAM、64APSK、128APSK、256QAM、および256APSKを含む、複数の異なる変調方式のいずれか1つを使用して、符号化データを変調し得る。いくつかの態様では、コントローラ274は、(たとえば、アップリンクのチャネル状態に基づいて)どのMCSを使用すべきかを規定するコマンドを送信データプロセッサ260に送ってよく、送信データプロセッサ260は、規定されたMCSに従ってデータソース255からのデータを符号化および変調してよい。送信データプロセッサ260が、データへの追加の処理を実行してもよいことを諒解されたい。送信データプロセッサ260は、データシンボルをフレームビルダー262に出力する。
【００３１】
フレームビルダー262は、フレームを構築し、フレームのデータペイロードに受信データシンボルを挿入する。フレームは、プリアンブル、ヘッダ、およびデータペイロードを含み得る。プリアンブルは、フレームを受信する際にアクセスポイント110および/または他のアクセス端末を支援するための、STFシーケンスおよびCEシーケンスを含み得る。ヘッダは、データの長さ、およびデータを符号化および変調するために使用されたMCSなどの、ペイロードの中のデータに関係する情報を含み得る。ペイロードの中のデータは、複数のブロックの間で分割され得、ここで、各ブロックは、データの一部分、ならびにアクセスポイントおよび/または他のアクセス端末の位相追跡を支援するガードインターバル(GI)を含み得る。フレームビルダー262は、フレームを送信プロセッサ264に出力する。
【００３２】
送信プロセッサ264は、送信用にフレームを処理する。たとえば、送信プロセッサ264は、OFDM送信モードおよびSC送信モードなどの様々な送信モードをサポートし得る。この例では、コントローラ274は、どの送信モードを使用すべきかを規定するコマンドを送信プロセッサ264に送ってよく、送信プロセッサ264は、規定された送信モードに従って送信用にフレームを処理してよい。送信プロセッサ264は、アップリンク信号の成分をなす周波数がいくつかのスペクトル要件を満たすように、フレームにスペクトラムマスクを適用し得る。
【００３３】
トランシーバ266は、1つまたは複数のアンテナ270を介した送信用に、送信プロセッサ264の出力を受け取り、かつ処理(たとえば、アナログに変換、増幅、フィルタ処理、および周波数アップコンバート)する。たとえば、トランシーバ266は、60GHzレンジの中の周波数を有する送信信号に、送信プロセッサ264の出力をアップコンバートし得る。
【００３４】
いくつかの態様では、送信プロセッサ264は、多入力多出力(MIMO)送信をサポートし得る。これらの態様では、アクセス端末120は、複数のアンテナおよび複数のトランシーバ(たとえば、アンテナごとに1つ)を含み得る。送信プロセッサ264は、着信フレームに空間処理を実行し得、複数のアンテナに複数の送信フレームストリームを提供し得る。トランシーバは、それぞれの送信フレームストリームを受信し、かつ処理(たとえば、アナログに変換、増幅、フィルタ処理、および周波数アップコンバート)して、アンテナを介した送信用に送信信号を生成する。
【００３５】
データを受信するために、アクセスポイント110は、受信プロセッサ242および受信データプロセッサ244を備える。動作においては、トランシーバ226-1〜226-Nは、(たとえば、アクセス端末120から)信号を受信し、受信信号を空間的に処理(たとえば、周波数ダウンコンバート、増幅、フィルタ処理、およびデジタルに変換)する。
【００３６】
受信プロセッサ242は、トランシーバ226-1〜226-Nの出力を受信し、出力を処理してデータシンボルを復元する。たとえば、アクセスポイント110は、フレームの中で(たとえば、アクセス端末120から)データを受信し得る。この例では、受信プロセッサ242は、フレームのプリアンブルの中のSTFシーケンスを使用して、フレームの開始を検出し得る。受信プロセッサ242はまた、自動利得制御(AGC)調整のためにSTFを使用してもよい。受信プロセッサ242はまた、(たとえば、フレームのプリアンブルの中のCEシーケンスを使用して)チャネル推定を実行し得、チャネル推定に基づいて受信信号にチャネル等化を実行し得る。
【００３７】
さらに、受信機プロセッサ242は、ペイロードの中のガードインターバル(GI)を使用して位相雑音を推定し得、推定された位相雑音に基づいて受信信号における位相雑音を低減し得る。位相雑音は、周波数変換のために使用される、アクセス端末120の中の局部発振器からの雑音および/またはアクセスポイント110の中の局部発振器からの雑音に起因することがある。位相雑音はまた、チャネルからの雑音を含むことがある。受信プロセッサ242はまた、フレームのヘッダから情報(たとえば、MCS方式)を復元し得、その情報をコントローラ234に送り得る。チャネル等化および/または位相雑音低減を実行した後、受信プロセッサ242は、フレームからデータシンボルを復元し得、復元されたデータシンボルをさらなる処理のために受信データプロセッサ244に出力し得る。
【００３８】
受信データプロセッサ244は、受信プロセッサ242からデータシンボルを、またコントローラ234から対応するMSC方式の表示を受信する。受信データプロセッサ244は、データシンボルを復調および復号して、表示されたMSC方式に従ってデータを復元し、復元されたデータ(たとえば、データビット)を記憶および/またはさらなる処理のためにデータシンク246に出力する。
【００３９】
上記で説明したように、アクセス端末120は、OFDM送信モードまたはSC送信モードを使用してデータを送信し得る。この場合、受信プロセッサ242は、選択された送信モードに従って受信信号を処理し得る。また、上記で説明したように、送信プロセッサ264は、多入力多出力(MIMO)送信をサポートし得る。この場合、アクセスポイント110は、複数のアンテナ230-1〜230-Nおよび複数のトランシーバ226-1〜226-N(たとえば、アンテナごとに1つ)を含む。各トランシーバは、それぞれのアンテナから信号を受信し、かつ信号を処理(たとえば、周波数ダウンコンバート、増幅、フィルタ処理、周波数アップコンバート)する。受信プロセッサ242は、トランシーバ226-1〜226-Nの出力に空間処理を実行して、データシンボルを復元し得る。
【００４０】
データを受信するために、アクセス端末120は、受信プロセッサ282および受信データプロセッサ284を備える。動作においては、トランシーバ266は、(たとえば、アクセスポイント110または別のアクセス端末から)信号を受信し、受信信号を処理(たとえば、周波数ダウンコンバート、増幅、フィルタ処理、およびデジタルに変換)する。
【００４１】
受信プロセッサ282は、トランシーバ266の出力を受信し、出力を処理してデータシンボルを復元する。たとえば、アクセス端末120は、上記で説明したように、フレームの中で(たとえば、アクセスポイント110または別のアクセス端末から)データを受信し得る。この例では、受信プロセッサ282は、フレームのプリアンブルの中のSTFシーケンスを使用して、フレームの開始を検出し得る。受信プロセッサ282はまた、(たとえば、フレームのプリアンブルの中のCEシーケンスを使用して)チャネル推定を実行し得、チャネル推定に基づいて受信信号にチャネル等化を実行し得る。
【００４２】
さらに、受信機プロセッサ282は、ペイロードの中のガードインターバル(GI)を使用して位相雑音を推定し得、推定された位相雑音に基づいて受信信号における位相雑音を低減し得る。受信プロセッサ282はまた、フレームのヘッダから情報(たとえば、MCS方式)を復元し得、その情報をコントローラ274に送り得る。チャネル等化および/または位相雑音低減を実行した後、受信プロセッサ282は、フレームからデータシンボルを復元し得、復元されたデータシンボルをさらなる処理のために受信データプロセッサ284に出力し得る。
【００４３】
受信データプロセッサ284は、受信プロセッサ282からデータシンボルを、またコントローラ274から対応するMSC方式の表示を受信する。受信データプロセッサ284は、データシンボルを復調および復号して、表示されたMSC方式に従ってデータを復元し、復元されたデータ(たとえば、データビット)を記憶および/またはさらなる処理のためにデータシンク286に出力する。
【００４４】
上記で説明したように、アクセスポイント110または別のアクセス端末は、OFDM送信モードまたはSC送信モードを使用してデータを送信し得る。この場合、受信プロセッサ282は、選択された送信モードに従って受信信号を処理し得る。また、上記で説明したように、送信プロセッサ224は、多入力多出力(MIMO)送信をサポートし得る。この場合、アクセス端末120は、複数のアンテナおよび複数のトランシーバ(たとえば、アンテナごとに1つ)を含み得る。各トランシーバは、それぞれのアンテナから信号を受信し、かつ信号を処理(たとえば、周波数ダウンコンバート、増幅、フィルタ処理、周波数アップコンバート)する。受信プロセッサ282は、トランシーバの出力に空間処理を実行して、データシンボルを復元し得る。
【００４５】
図2に示すように、アクセスポイント110はまた、コントローラ234に結合されたメモリ236を備える。メモリ236は、コントローラ234によって実行されたとき、本明細書で説明する動作のうちの1つまたは複数をコントローラ234に実行させる命令を記憶し得る。同様に、アクセス端末120も、コントローラ274に結合されたメモリ276を備える。メモリ276は、コントローラ274によって実行されたとき、本明細書で説明する動作のうちの1つまたは複数をコントローラ274に実行させる命令を記憶し得る。
【００４６】
図3は、第1のワイヤレスデバイス310、第2のワイヤレスデバイス320、および第3のワイヤレスデバイス330を含む例示的な通信システム300のブロック図を示す。広がっている1対の破線によって表される受信ビームフォーミングによって示されるように、第1のワイヤレスデバイス310は、そのアンテナ-RFチェーンアレイを、ターゲットワイヤレスデバイス(たとえば、第2のワイヤレスデバイス320)からの信号を指向的に受信するように構成している。そのような構成では、アンテナ-RFチェーンアレイは、改善されたRF感度およびより高い信号対雑音比(SNR)を伴って第2のワイヤレスデバイス320からの信号を検出するために、比較的高い利得(「アレイ利得」)を有する。追加として、アンテナ-RFチェーンアレイの方向選択性により、アンテナ-RFチェーンアレイの方向選択性の外部に位置する非ターゲットワイヤレスデバイス(たとえば、第3のワイヤレスデバイス330)からの不要な信号が大幅に減衰して干渉を低減し得る。
【００４７】
しかしながら、アンテナ-RFチェーンアレイを指向性方式で動作させることに伴う問題のうちの1つは、そのことが相当量の電力を必要とすることである。なぜなら、多数のRFチェーン(たとえば、32個の)がオンにされるとともに指向性モードでアンテナ-RFチェーンアレイを構成するように設定される必要があるからである。このことは、図4を参照しながらより良く説明される。
【００４８】
図4は、本開示の別の態様による例示的なワイヤレスデバイス400のブロック図を示す。ワイヤレスデバイス400は、前に説明した第1のワイヤレスデバイス310の例示的で詳細な実装形態であり得る。ワイヤレスデバイス400は、それぞれ、アンテナ410-1〜410-Nに結合された、複数のトランシーバ(TX/RX)RFチェーン412-1〜412-N(たとえば、N=32)を含むアンテナ-RFチェーンアレイを備える。RFチェーン412-1〜412-Nの出力は、受信フレームを処理してフレームデータを生成することを含めて、受信信号をさらに処理するために、ダウンストリーム処理構成要素414へ送られる。ダウンストリーム処理構成要素414は、前に説明したRXプロセッサ242およびRXデータプロセッサ244を備え得る。ワイヤレスデバイス400は、第2のワイヤレスデバイス320などのターゲットデバイスからの信号を指向的に受信するように、制御信号CS1〜CSNを使用してRFチェーン412-1〜412-Nを構成するためのコントローラ416を含む。
【００４９】
多数のRFチェーン412-1〜412-N(たとえば、N=32)をターゲットデバイスからの信号を指向的に受信するように動作させる必要があり得るので、ターゲットデバイスからの次のフレームを受信するのを待つ間、このようにしてRFチェーンを動作させることは、相当量の電力を消費し、そのことは望ましくないことがある。
【００５０】
代替手法は、単一のアンテナ/RFチェーン、またはアンテナ/RFチェーンのうちのいくつか(たとえば、1〜3個のRFチェーン)のみを動作させて、オムニ指向性検出用にアンテナ-RFチェーンを構成することである。このことを図3Bに示す。破線の円によって表されるように、第1のワイヤレスデバイス310は、オムニ指向性方式で信号を受信するように構成される。したがって、第1のワイヤレスデバイス310は、第2のワイヤレスデバイス320などのターゲットデバイス、および第3のワイヤレスデバイス330などの非ターゲットデバイスからの信号を受信することができる。
【００５１】
ターゲットデバイスからの次のフレームを検出するのを待ちながら、オムニ指向性モードでアンテナ-RFチェーンを動作させることは、より少数のRFチェーン(たとえば、1〜3個のチェーン)を動作させるほどの少ない電力しか消費しないように見えることになる。しかしながら、第1のワイヤレスデバイス310は、フォールスポジティブを検出する、すなわち、非ターゲットデバイスから来るフレームを検出および復号する、相当量の電力を費やし得る。したがって、より良い解決策は、より少ない電力を消費しながらターゲットデバイスからのフレームを検出することが必要とされる。
【００５２】
この問題に対処するために、ワイヤレスデバイスは、ターゲットデバイスからの信号を検出しようと試みながら、そのアンテナ-RFチェーンをオムニ指向性検出用に構成する。第1のエネルギーしきい値以上の第1のエネルギーレベルを有する信号が検出されると、ワイヤレスデバイスは、そのアンテナ-RFチェーンアレイを、ターゲットデバイスを対象とする指向性モードで再構成する。
【００５３】
指向性モードにある間、信号のエネルギーレベル(「第2のエネルギーレベル」)が増大しているか、または第2のエネルギーしきい値以上である場合(たとえば、第2のエネルギーしきい値は、ターゲットデバイスからの受信信号の予想されるエネルギーに関係する)、信号はターゲットデバイスからである可能性が最も高く、ワイヤレスデバイスは、信号に関連するフレームを受信してよい。一方、第2のエネルギーレベルが第1のエネルギーレベル未満または第2のエネルギーしきい値未満である場合、信号は非ターゲットデバイスからである可能性が最も高く、ワイヤレスデバイスは、信号を無視してよく、その後、そのアンテナ-RFチェーンをオムニ指向性検出用に再構成してよい。この技法は、以下のより詳細な説明を参照しながらより良く説明される。
【００５４】
図5は、本開示の別の態様による例示的なワイヤレスデバイス500を示す。ワイヤレスデバイス500は、前に説明した第1のワイヤレスデバイス310の例示的で詳細な実装形態であり得る。ワイヤレスデバイス500は、それぞれ、アンテナ510-1〜510-Nに結合された、複数のトランシーバ(TX/RX)RFチェーン512-1〜512-Nを含むアンテナ-RFチェーンアレイを備える。ワイヤレスデバイス500は、ダウンストリーム処理構成要素514およびコントローラ516をさらに備える。コントローラ516は、対応するRFチェーンへ制御信号CS1〜CSNを送ることによって、指向性モードでRFチェーン512-1〜512-Nを構成し得る。同様に、コントローラ516は、制御信号CS1〜CSNを使用して単一または少数の(<<N)のRFチェーンを有効化および構成することによって、オムニ指向性モードでRFチェーン512-1〜512-Nを構成し得る。
【００５５】
コントローラ516は、それぞれ、RFチェーン512-1〜512-Nを介して受信された、検出された信号の信号エネルギー(電力)指示P1〜PNを受け取る。RFチェーン512-1〜512-Nからの受信信号は、フレームを処理してフレームデータを出力することを含むさらなる処理のために、ダウンストリーム処理構成要素514に提供される。ダウンストリーム処理構成要素514は、前に説明したRXプロセッサ242およびRXデータプロセッサ244を備え得る。
【００５６】
図6は、本開示の別の態様による例示的な受信機チェーン600の概略図を示す。受信機チェーン600は、低雑音増幅器(LNA)602、ミキサ604、カプラ606、ダイオードD1、およびアナログデジタル変換器(ADC)608を備え得る。LNA602は、アンテナ610を通して受信された信号を増幅する。
【００５７】
ミキサ604は、LNA602によって生成された、増幅された信号を、局部発振器(LO)信号Wi(CSi)に基づいてダウンコンバートする。LO信号Wiは、指向性方式で信号を受信するために、他のRFチェーンに沿ってRFチェーンを構成するための制御信号CSiの関数である。すなわち、LO信号Wiの位相は、制御信号CSiによって規定されるように、指向性方式で信号を受信するようにアンテナ-RFチェーンアレイを構成するために、他の類似のRFチェーンに適用される他のLO信号の位相との関係で選択され得る。LO信号Wiは、制御信号CSiの関数として、オムニ指向性方式で信号を受信するようにアンテナ510-1〜510-Nのサブセットを構成するために、単独で、または他の類似のRFチェーンに適用される1つもしくは複数の他のLO信号とともに選択され得る。ミキサ604の出力は、中間周波数(IF)信号またベースバンド信号であってよく、上記で説明したようなさらなる処理のためにダウンストリーム処理構成要素514へ送られ得る。
【００５８】
アンテナ610を通して受信された信号のエネルギーを測定するために、カプラ606が、増幅された信号の一部分をLNA602の出力において結合する。ダイオードD1は、カプラ606からの信号の結合された部分に基づいて、受信信号のエネルギーを示す信号を生成する。ADC608は、ダイオードD1からのエネルギー指示信号を変換または調整して、コントローラ516によって受信および処理され得る信号Piにする。コントローラ516による処理のためのエネルギー信号Piを構成するために、ADC608が単にエネルギー指示信号をデジタル形式に変換することに加えて他の機能を実行し得ることを理解されたい。そのような他の機能は、増幅、フィルタ処理、雑音低減処理などを含み得る。
【００５９】
さらに本明細書で説明するように、アンテナ/RFチェーンのうちの1つまたは複数がオムニ指向性方式で信号を受信するように構成されているとき、コントローラ516は、信号を検出するためにエネルギー指示信号Piを使用し得る。コントローラ516は、信号がターゲットデバイスからである可能性が高いのか、それとも非ターゲットデバイスからである可能性が高いのかを決定するために、エネルギー指示信号Piを使用し得る。そのような場合、本明細書でより詳細に説明するように、アンテナ-RFチェーンアレイは、ターゲットデバイスを対象とする指向性方式で信号を受信するように構成され得る。
【００６０】
RFチェーンを事実上無効化するために、コントローラ516は、LNA602、ADC608、または他の関連するデバイスを、これらのデバイスが実質的に電力を消費しないか、またはRFチェーンが有効化されたなら場合によっては消費することになるよりも少ない電力しか消費しないように無効化するように、制御信号CSiを構成し得る。
【００６１】
図7は、本開示の別の態様による、受信信号がターゲットデバイスからであるかどうかを決定する例示的な方法700のフロー図を示す。方法700によれば、コントローラ516は、アンテナ/RFチェーンのうちの1つまたは複数を、オムニ指向性モードで信号を受信するように、制御信号CS1〜CSNを介して構成する(ブロック702)。このことは、選択された少数のRFチェーン512-i〜512-jを有効化および構成することによって行われ得る(ただし、単一のRFチェーンが選択される場合はi=jであり、i〜jは連続的である必要はない)。
【００６２】
次いで、方法700によれば、コントローラ516は、選択されたRFチェーン512-i〜512-jから検出された信号の第1のエネルギーレベル(Σ(Pi〜Pj))が、第1のしきい値(TH1)以上であるかどうかを決定する(ブロック704)。検出された信号の第1のエネルギーレベルが第1のしきい値未満である場合、受信されたエネルギーは非ターゲットデバイスからである可能性がより高い。そのような場合、コントローラ516は、ブロック704に戻ってオムニ指向性モードで別の信号を検出しようと試みる。そのようなオムニ指向性モードでは、少数のRFチェーンしか動作させられていないので(たとえば、1〜3個のRFチェーン)、ワイヤレスデバイス500によって消費される電力は比較的少ない。
【００６３】
ブロック704において、コントローラ516が、検出された信号の第1のエネルギーレベル(Σ(Pi〜Pj))が第1のしきい値(TH1)以上であると決定する場合、コントローラ516は、アンテナ-RFチェーンアレイを、ターゲットデバイスを対象とする指向性方式で信号を受信するように、制御信号CS1〜CSNを介して構成する(ブロック706)。
【００６４】
次いで、方法700によれば、コントローラ516は、RFチェーン512-1〜512-Nから検出された信号の第2のエネルギーレベル(Σ(P1〜PN))が第2のしきい値(TH2)以上または第1のエネルギーレベルよりも大きいかどうかを決定する(ブロック708)。第2のエネルギーレベルが第2のしきい値(TH2)未満または第1のエネルギーレベル未満である場合、検出された信号は非ターゲットデバイスからである可能性がより高い。そのような場合、コントローラ516は、ブロック702に戻ってオムニ指向性モードで1つまたは複数のアンテナ/RFチェーンアレイを再構成する。
【００６５】
ブロック708において、コントローラ516が、受信信号の第2のエネルギーレベル(Σ(P1〜PN))が第2のしきい値(TH2)以上または第1のエネルギーレベルよりも大きいと決定する場合、コントローラ516は、ターゲットデバイスから受信された信号を復号することによってデータを生成する(ブロック710)。さらに本明細書で説明するように、このことは、検出された信号がいくつかのプロトコルに適合するかどうかを決定することを伴うことがあり、そうである場合、受信信号に関連するフレームの少なくとも一部分を復号して、信号がターゲットデバイスからであるかどうかを決定することを伴うことがある。信号がターゲットデバイスからである場合、コントローラ516は、フレームを受信および処理してフレームからデータを抽出するようにダウンストリーム処理構成要素514に命令する。
【００６６】
要約すれば、電力を温存するために、コントローラ516は、信号の初期検出用にオムニ指向性モード(電力消費が小さい)でアンテナ-RFチェーンアレイを動作させ、信号がターゲットデバイスから来るのかそれとも非ターゲットデバイスから来るのかを決定するために、ターゲットを対象とする指向性モード(電力消費が大きい)でアンテナ-RFチェーンアレイを動作させる。
【００６７】
図8Aは、本開示の別の態様による別の例示的な通信システム800のブロック図を示す。場合によっては、非ターゲットデバイスは、ターゲットデバイスからの信号を受信しているデバイスから見て、ターゲットデバイスと概して同じ方向に位置し得る。通信システム800は、そのような場合を示す。
【００６８】
詳細には、通信システム800は、第1のワイヤレスデバイス810、第2のワイヤレスデバイス820、および第3のワイヤレスデバイス830を備える。この例では、第2のワイヤレスデバイス820は、第1のワイヤレスデバイス810がそこから信号を受信することを意図するターゲットデバイスである。第3のワイヤレスデバイス830は、第1のワイヤレスデバイス810がそこから信号を受信することを意図しない非ターゲットデバイスである。さらに、この例によれば、第2のワイヤレスデバイス820および第3のワイヤレスデバイス830は、互いの近くに、かつ第1のワイヤレスデバイス810から見て概して同じ方向に位置する。追加として、この例によれば、第3のワイヤレスデバイス830(非ターゲット)は、第1のワイヤレスデバイス810に宛てられていない信号を送信しており、第2のワイヤレスデバイス820(ターゲット)は信号を送信していない。
【００６９】
第1のワイヤレスデバイス810が、信号が第2のデバイス820(ターゲット)からであるかどうかを決定する方法700を実施する場合、第1のワイヤレスデバイス810は、信号がターゲットデバイスからであるかどうかを決定するためのさらなる動作を実施する必要があり得る。たとえば、図8Aに関して与えられる例では、第1のワイヤレスデバイス810は、そのアンテナ/RFチェーンを、オムニ指向性方式で信号を受信するように構成し得、方法700のブロック704に従って、第3のワイヤレスデバイス830(非ターゲット)から検出された信号が第1のしきい値(TH1)よりも大きいと決定し得る。
【００７０】
追加として、図8Bに示すように、第1のワイヤレスデバイス810は、そのアンテナ/RFチェーンを、第2のワイヤレスデバイス820(ターゲット)を対象とする指向性方式で信号を受信するように構成し得、方法700のブロック708に従って、第3のワイヤレスデバイス830(非ターゲット)から検出された信号が第2のしきい値(TH2)よりも大きいか、またはオムニ指向性モードで構成される間、検出された信号エネルギーよりも大きいと決定し得る。
【００７１】
したがって、非ターゲットデバイスがターゲットデバイスと同じ方向に位置する場合、第1のワイヤレスデバイス810は、検出された信号が確かにターゲットデバイスからであるかどうかを決定するための1つまたは複数の追加の動作を実行する必要がある。そのような1つまたは複数の追加の動作の例が以下で説明される。
【００７２】
図9は、本開示の別の態様による、信号がターゲットデバイスからであるかどうかを決定する例示的な方法900のフロー図を示す。方法900は、方法700のブロック710に示すように、ターゲットデバイスからの信号を復号することによってデータを生成する動作の例示的でより詳細な実装形態であり得る。第1のワイヤレスデバイス810は、前に説明したワイヤレスデバイス500と同様に構成され得る。したがって、以下の説明は、ワイヤレスデバイス500が方法900を実行することに関する。
【００７３】
詳細には、方法900によれば、コントローラ516は、受信信号が指定のプロトコルに適合するかどうかを決定する(ブロック902)。たとえば、コントローラ516は、信号が米国電気電子技術者協会(IEEE)またはいくつかの他の標準化機構によって規定される802.11ad(または、開発中の802.11ay)などの信号プロトコルに適合するかどうかを決定し得る。この点について、コントローラ516は、信号が指定のプロトコルに適合するかどうかを決定するために、ダウンストリーム処理構成要素514に受信信号の少なくとも一部分を処理させ得る。より具体的には、IEEE802.11adプロトコルに関して、ダウンストリーム処理構成要素514は、受信信号の少なくとも一部分を処理して、フレームのプリアンブル(STFおよびCE)または他の部分が受信信号の中に存在するかどうかを決定し得る。
【００７４】
ブロック904において、コントローラ516が、受信信号が指定の信号プロトコルに適合しないと決定する場合、受信信号は非ターゲットデバイスからである可能性が高い。したがって、それに応答して、コントローラ516は、選択されたRFチェーン512-i〜512-jを、ターゲットデバイスからの信号を検出するためにオムニ指向性モードで信号を受信するように構成する(ブロック906)。
【００７５】
一方、コントローラ516が、ブロック904に従って、受信信号が指定のプロトコルに適合すると決定する場合、コントローラ516は、受信信号に関連するフレームの少なくとも一部分を復号するようにダウンストリーム処理構成要素514に命令する(ブロック908)。コントローラ516は、次いで、フレームの復号された少なくとも一部分がワイヤレスデバイス500に宛てられているかまたはアドレス指定されているかどうかを決定する(ブロック910)。コントローラ516が、ブロック910において、フレームがワイヤレスデバイス500に宛てられていないかまたはアドレス指定されていないと決定する場合、コントローラ516は、選択されたRFチェーン512-i〜512-jを、ターゲットデバイスからの信号を検出するためにオムニ指向性モードで信号を受信するように構成する(ブロック906)。
【００７６】
一方、コントローラ516が、フレームがワイヤレスデバイス500に宛てられているかまたはアドレス指定されていると決定する場合、コントローラ516は、フレームを復号してフレームからデータを抽出するようにダウンストリーム処理構成要素514に命令する(ブロック912)。コントローラ516は、次いで、別の信号を検出するために、規定された時間間隔を待ってよい(ブロック914)。ブロック914において、コントローラ516が、規定された時間間隔内で別の信号を検出しない場合、コントローラ516は、選択されたRFチェーン512-i〜512-jを、ターゲットデバイスからの信号を検出するためにオムニ指向性モードで信号を受信するように構成する(ブロック906)。一方、ブロック914において、コントローラ516が、規定された時間間隔内で別の信号を検出する場合、コントローラ516は、ブロック902に戻って、検出された信号がターゲットデバイスからであるかどうかを評価する。
【００７７】
図10は、本開示のいくつかの態様による例示的なデバイス1000を示す。デバイス1000は、アクセスポイント(たとえば、アクセスポイント110)またはアクセス端末(たとえば、アクセス端末120)において動作するとともに、本明細書で説明する動作のうちの1つまたは複数を実行するように構成され得る。デバイス1000は、処理システム1020、および処理システム1020に結合されたメモリ1010を含む。メモリ1010は、処理システム1020によって実行されたとき、本明細書で説明する動作のうちの1つまたは複数を処理システム10120に実行させる命令を記憶し得る。処理システム1020の例示的な実装形態が以下に提供される。デバイス1000はまた、処理システム1020に結合された送信/受信機インターフェース1030を備える。インターフェース1030(たとえば、インターフェースバス)は、以下でさらに説明するように、処理システム1020を無線周波数(RF)フロントエンド(たとえば、トランシーバ226-1〜226-N、266、RFチェーン412-1〜412-N、およびRFチェーン512-1〜512-N)にインターフェースするように構成され得る。
【００７８】
いくつかの態様では、処理システム1020は、以下のもの、すなわち、本明細書で説明する動作のうちの1つもしくは複数を実行するための、送信データプロセッサ(たとえば、送信データプロセッサ220または260)、フレームビルダー(たとえば、フレームビルダー222または262)、送信プロセッサ(たとえば、送信プロセッサ224または264)、および/またはコントローラ(たとえば、コントローラ234または274)のうちの1つまたは複数を含み得る。これらの態様では、処理システム1020は、フレームを生成し得、(たとえば、アクセスポイントまたはアクセス端末への)ワイヤレス送信用に、インターフェース1030を介してRFフロントエンド(たとえば、トランシーバ226または266)にフレームを出力し得る。
【００７９】
いくつかの態様では、処理システム1020は、以下のもの、すなわち、本明細書で説明する動作のうちの1つまたは複数実行するための、ダウンストリーム処理構成要素(たとえば、414または514)、受信プロセッサ(たとえば、受信プロセッサ242または282)、受信データプロセッサ(たとえば、受信データプロセッサ244または284)、および/またはコントローラ(たとえば、コントローラ234、274、416、または516)のうちの1つまたは複数を含み得る。これらの態様では、処理システム1020は、インターフェース1030を介してRFフロントエンド(たとえば、トランシーバ226および266、RFチェーン412-1〜412-N、またはRFチェーン512-1〜512-N)からフレームを受信し得、上記で説明した態様のうちのいずれか1つまたは複数に従ってフレームを処理し得る。
【００８０】
アクセス端末120の場合には、デバイス1000は、処理システム1020に結合されたユーザインターフェース1040を含み得る。ユーザインターフェース1040は、ユーザから(たとえば、キーパッド、マウス、ジョイスティックなどを介して)データを受信するとともに、データを処理システム1020に提供するように構成され得る。ユーザインターフェース1040はまた、処理システム1020からユーザに(たとえば、ディスプレイ、スピーカーなどを介して)データを出力するように構成され得る。この場合、データは、ユーザに出力される前に追加の処理を受けることがある。アクセスポイント110の場合には、ユーザインターフェース1040は省略されてよい。
【００８１】
上記で説明した方法の様々な動作は、対応する機能を実行することが可能な任意の好適な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。概して、図に示される動作がある場合、それらの動作は、類似の番号を伴う対応する同等のミーンズプラスファンクション構成要素を有し得る。
【００８２】
たとえば、コントローラ516および処理システム1020は各々、それぞれのアンテナに結合された複数のRF受信機チェーンのサブセットを、オムニ指向性方式で受信するように構成するための手段の例である。コントローラ516、カプラ606、ダイオードD1およびADC608、ならびに処理システム1020は各々、RF受信機チェーンのサブセットがオムニ指向性方式で受信するように構成される間、サブセットを介して受信された少なくとも1つの信号の第1のエネルギーレベルを決定するための手段の例である。コントローラ516および処理システム1020は各々、第1のエネルギーレベルに基づいて、ターゲットデバイスから指向的に受信するように複数のRF受信機チェーンを構成するための手段の例である。コントローラ516、カプラ606、ダイオードD1、ADC608、および処理システム1020は各々、RF受信機チェーンがターゲットデバイスから指向的に受信するように構成される間、RF受信機チェーンを介して受信された少なくとも1つの信号の第2のエネルギーレベルを決定するための手段の例である。ダウンストリーム処理構成要素514および処理システム1020は各々、第2のエネルギーレベルに基づいて、少なくとも1つの信号からデータを生成するための手段の例である。
【００８３】
コントローラ516および処理システム1020は各々、第1のエネルギーレベルが第1のしきい値エネルギーレベル以上であると決定するための手段の例である。コントローラ516および処理システム1020は各々、第2のエネルギーレベルが第2のしきい値エネルギーレベル以上であると決定するための手段の例である。コントローラ516および処理システム1020は各々、第2のエネルギーレベルが第2のしきい値エネルギーレベル未満であることに応答して、オムニ指向性方式で受信するようにRF受信機チェーンのサブセットを再構成するための手段の例である。コントローラ516および処理システム1020は各々、第1のエネルギーレベルがしきい値エネルギーレベル未満であることに応答して、RF受信機チェーンのサブセットがオムニ指向性方式で受信するように構成されるのを維持するための手段の例である。
【００８４】
コントローラ516および処理システム1020は各々、第2のエネルギーレベルが第1のエネルギーレベルよりも大きいと決定するための手段の例である。コントローラ516および処理システム1020は各々、第2のエネルギーレベルが第1のエネルギーレベル未満であることに応答して、RF受信機チェーンのサブセットがオムニ指向性方式で受信するように構成されるのを維持するための手段の例である。コントローラ516、ダウンストリーム処理構成要素514、および処理システム1020は各々、少なくとも1つの信号が指定の信号フォーマットに適合すると決定するための手段の例である。ダウンストリーム処理構成要素514および処理システム1020は各々、フレームの少なくとも一部分を復号するための手段の例である。コントローラ516および処理システム1020は各々、フレームの少なくとも一部分を復号した後の時間間隔の満了に応答して、オムニ指向性方式で受信するようにRF受信機チェーンのサブセットを再構成するための手段の例である。
【００８５】
場合によっては、デバイスは、実際にフレームを送信するのではなく、送信のためにフレームを出力するインターフェース(出力するための手段)を有し得る。たとえば、プロセッサは、バスインターフェースを介して、送信のためにフレームを無線周波数(RF)フロントエンドに出力し得る。同様に、デバイスは、実際にフレームを受信するのではなく、別のデバイスから受信されたフレームを取得するためのインターフェース(取得するための手段)を有し得る。たとえば、プロセッサは、バスインターフェースを介して、受信のためにRFフロントエンドからフレームを取得(または、受信)し得る。
【００８６】
本明細書で使用する「決定すること」という用語は、多種多様なアクションを包含する。たとえば、「決定すること」は、計算すること、算出すること、処理すること、導出すること、調査すること、ルックアップすること(たとえば、テーブル、データベース、または別のデータ構造の中でルックアップすること)、確認することなどを含み得る。また、「決定すること」は、受信すること(たとえば、情報を受信すること)、アクセスすること(たとえば、メモリの中のデータにアクセスすること)などを含み得る。また、「決定すること」は、解決すること、選択すること、選ぶこと、確立することなどを含み得る。
【００８７】
本明細書で使用するとき、項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するように意図される。
【００８８】
本開示に関して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、またはステートマシンであってもよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてよい。
【００８９】
本開示に関して説明した方法またはアルゴリズムのステップは、直接ハードウェアにおいて、プロセッサによって実行されるソフトウェアモジュールにおいて、またはその2つの組合せにおいて具現化され得る。ソフトウェアモジュールは、当技術分野で知られている任意の形態の記憶媒体の中に存在してよい。使用され得る記憶媒体のいくつかの例は、ランダムアクセスメモリ(RAM)、読取り専用メモリ(ROM)、フラッシュメモリ、EPROMメモリ、EEPROMメモリ、レジスタ、ハードディスク、リムーバブルディスク、CD-ROMなどを含む。ソフトウェアモジュールは、単一の命令または多くの命令を備えてよく、いくつかの異なるコードセグメントにわたって、異なるプログラム間で、また複数の記憶媒体にわたって、分散されてもよい。記憶媒体は、プロセッサが記憶媒体から情報を読み取るとともに記憶媒体に情報を書き込むことができるように、プロセッサに結合され得る。代替として、記憶媒体はプロセッサと一体であってもよい。
【００９０】
本明細書で開示する方法は、説明した方法を実現するための1つまたは複数のステップまたはアクションを備える。方法ステップおよび/またはアクションは、特許請求の範囲から逸脱することなく互いに入れ替えられてよい。言い換えれば、ステップまたはアクションの特定の順序が規定されない限り、特定のステップおよび/またはアクションの順序および/または使用は、特許請求の範囲から逸脱することなく変更されてよい。
【００９１】
説明した機能は、ハードウェア、ソフトウェア、ファームウェア、またはそれらの任意の組合せで実装され得る。ハードウェアで実装される場合、例示的なハードウェア構成は、ワイヤレスノードの中の処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサ、機械可読媒体、およびバスインターフェースを含む、様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実施するために使用され得る。アクセス端末120(図1参照)の場合には、ユーザインターフェース(たとえば、キーパッド、ディスプレイ、マウス、ジョイスティックなど)も、バスに接続され得る。バスはまた、タイミングソース、周辺装置、電圧調整器、電力管理回路などの、様々な他の回路をリンクさせてよく、そうした回路は、当技術分野でよく知られており、したがって、これ以上説明しない。
【００９２】
プロセッサは、機械可読媒体に記憶されたソフトウェアの実行を含む、バスおよび一般的な処理を管理する役割を担い得る。プロセッサは、1つまたは複数の汎用プロセッサおよび/または専用プロセッサを用いて実装され得る。例は、マイクロプロセッサ、マイクロコントローラ、DSPプロセッサ、およびソフトウェアを実行することができる他の回路構成を含む。ソフトウェアは、ソフトウェア、ファームウェア、ミドルウェア、マイクロコード、ハードウェア記述言語と呼ばれるか、または他の名称で呼ばれるかにかかわらず、命令、データ、またはそれらの任意の組合せを意味するように広く解釈されるべきである。機械可読媒体は、例として、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の好適な記憶媒体、またはそれらの任意の組合せを含み得る。機械可読媒体は、コンピュータプログラム製品において具現化され得る。コンピュータプログラム製品は、パッケージング材料を備え得る。
【００９３】
ハードウェア実装形態では、機械可読媒体は、プロセッサとは別個の処理システムの一部であってよい。しかしながら、当業者が容易に諒解するように、機械可読媒体またはその任意の部分は、処理システムの外部にあってもよい。例として、機械可読媒体は、伝送線路、データによって変調された搬送波、および/またはワイヤレスノードとは別個のコンピュータ製品を含んでよく、それらのすべてが、プロセッサによってバスインターフェースを通じてアクセスされ得る。代替として、または追加として、機械可読媒体またはその任意の部分は、キャッシュおよび/または汎用レジスタファイルを有し得る場合のようなプロセッサに統合され得る。
【００９４】
処理システムは、すべてが外部バスアーキテクチャを通じて他のサポート回路構成と互いにリンクされる、プロセッサ機能を提供する1つまたは複数のマイクロプロセッサ、および機械可読媒体の少なくとも一部分を提供する外部メモリを有する、汎用処理システムとして構成され得る。代替として、処理システムは、プロセッサを有するASIC(特定用途向け集積回路)、バスインターフェース、ユーザインターフェース(アクセス端末の場合)、サポート回路構成、および単一のチップに統合された機械可読媒体の少なくとも一部分を用いて、あるいは1つまたは複数のFPGA(フィールドプログラマブルゲートアレイ)、PLD(プログラマブル論理デバイス)、コントローラ、ステートマシン、ゲート論理、個別ハードウェア構成要素、もしくは任意の他の好適な回路構成、または本開示全体にわたって説明した様々な機能を実行できる回路の任意の組合せを用いて実装され得る。当業者は、特定の適用例およびシステム全体に課せられた全体的な設計制約に応じて、処理システムについて説明した機能を最良に実装する方法を認識されよう。
【００９５】
機械可読媒体は、いくつかのソフトウェアモジュールを備えてよい。ソフトウェアモジュールは、プロセッサによって実行されたとき、様々な機能を処理システムに実行させる命令を含む。ソフトウェアモジュールは、送信モジュールおよび受信モジュールを含んでよい。各ソフトウェアモジュールは、単一の記憶デバイスの中に存在してよく、または複数の記憶デバイスにわたって分散されてもよい。例として、ソフトウェアモジュールは、トリガイベントが発生したとき、ハードドライブからRAMの中にロードされてよい。ソフトウェアモジュールの実行中、プロセッサは、アクセス速度を高めるために、命令のうちのいくつかをキャッシュの中にロードしてよい。1つまたは複数のキャッシュラインが、次いで、プロセッサが実行するために汎用レジスタファイルの中にロードされてよい。以下でソフトウェアモジュールの機能に言及するとき、そのソフトウェアモジュールからの命令を実行したとき、そのような機能がプロセッサによって実施されることが理解されよう。
【００９６】
ソフトウェアで実装される場合、機能は、1つまたは複数の命令またはコードとしてコンピュータ可読媒体上に記憶されるか、またはコンピュータ可読媒体を介して送信されてもよい。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータによってアクセスされ得る任意の利用可能な媒体であってよい。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または命令もしくはデータ構造の形態で所望のプログラムコードを搬送もしくは記憶するために使用され得るとともにコンピュータによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。ディスク(disk)およびディスク(disc)は、本明細書で使用するとき、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を備え得る。加えて、他の態様の場合、コンピュータ可読媒体は、一時的コンピュータ可読媒体(たとえば、信号)を備え得る。上記の組合せもコンピュータ可読媒体の範囲内に含まれるべきである。
【００９７】
したがって、いくつかの態様は、本明細書で提示した動作を実行するためのコンピュータプログラム製品を備え得る。たとえば、そのようなコンピュータプログラム製品は、その上に記憶(および/または、符号化)された命令を有するコンピュータ可読媒体を備えてよく、命令は、本明細書で説明した動作を実行するように1つまたは複数のプロセッサによって実行可能である。いくつかの態様の場合、コンピュータプログラム製品はパッケージング材料を含んでよい。
【００９８】
さらに、本明細書で説明した方法および技法を実行するためのモジュールおよび/または他の適切な手段が、適用可能な場合、アクセス端末および/または基地局によってダウンロードされてよく、かつ/もしくは別の方法で取得されてよいことを諒解されたい。たとえば、そのようなデバイスは、本明細書で説明した方法を実行するための手段の転送を容易にするためにサーバに結合され得る。代替として、本明細書で説明した様々な方法は、記憶手段をデバイスに結合または供給するとアクセス端末および/または基地局が様々な方法を取得できるように、記憶手段(たとえば、RAM、ROM、コンパクトディスク(CD)またはフロッピーディスクなどの物理的記憶媒体など)を介して提供され得る。その上、本明細書で説明した方法および技法をデバイスに提供するための任意の他の好適な技法が利用され得る。
【００９９】
特許請求の範囲が上記で示した厳密な構成および構成要素に限定されないことを理解されたい。特許請求の範囲から逸脱することなく、上記で説明した方法および装置の構成、動作、および詳細において、様々な修正、変更、および変形が加えられてよい。
【符号の説明】
【０１００】
100  ワイヤレス通信システム
110  アクセスポイント
120  アクセス端末
130  システムコントローラ
150  バックボーンネットワーク
215  データソース
220  送信データプロセッサ
222  フレームビルダー
224  送信プロセッサ
226  トランシーバ
230  アンテナ
234  コントローラ
236  メモリ
242  受信プロセッサ
244  受信データプロセッサ
246  データシンク
255  データソース
260  送信データプロセッサ
262  フレームビルダー
264  送信プロセッサ
266  トランシーバ
270  アンテナ
274  コントローラ
276  メモリ
282  受信プロセッサ
284  受信データプロセッサ
286  データシンク
300  通信システム
310  第1のワイヤレスデバイス
320  第2のワイヤレスデバイス
330  第3のワイヤレスデバイス
400  ワイヤレスデバイス
410  アンテナ
412  トランシーバRFチェーン
414  ダウンストリーム処理構成要素
416  コントローラ
500  ワイヤレスデバイス
512  トランシーバRFチェーン
514  ダウンストリーム処理構成要素
516  コントローラ
600  受信機チェーン
602  低雑音増幅器
604  ミキサ
606  カプラ
608  アナログデジタル変換器
610  アンテナ
700  方法
800  通信システム
810  第1のワイヤレスデバイス
820  第2のワイヤレスデバイス
830  第3のワイヤレスデバイス
900  方法
1000  デバイス
1010  メモリ
1020  処理システム
1030  インターフェース
1040  ユーザインターフェース
【図１】
0006581298.tif 000002
【図２】
0006581298.tif 000003
【図３Ａ】
0006581298.tif 000004
【図３Ｂ】
0006581298.tif 000005
【図４】
0006581298.tif 000006
【図５】
0006581298.tif 000007
【図６】
0006581298.tif 000008
【図７】
0006581298.tif 000009
【図８Ａ】
0006581298.tif 000010
【図８Ｂ】
0006581298.tif 000011
【図９】
0006581298.tif 000012
【図１０】
0006581298.tif 000013